(57)【要約】  プローブ（１０）は、照射用光ファイバー（１１０）の出射端面の前方に配置され、照射用光ファイバー（１１０）から出力された光のうち、管腔の測定対象部位に照射するための測定光の波長成分を透過する光学フィルター（１４１）と、受光用光ファイバー（１２０）の入射端面の前方に配置され、測定対象部位に測定光が照射されることによって当該測定対象部位から放射される放射光のうち、測定光の波長以外の波長成分を透過する光学フィルター（１４２）と、光学フィルター（１４１）と光学フィルター（１４２）との間に配置され、測定光および放射光に対して遮光性を有する平板形状の遮光部材（１４３）とを有する。
2014111990.tif 000002
【特許請求の範囲】
【請求項１】
第１の光ファイバーの出射端面の前方に配置され、当該第１の光ファイバーから出力された光のうち、体内管腔の測定対象部位に照射するための測定光の波長成分を透過する第１の光学フィルターと、
第２の光ファイバーの入射端面の前方に配置され、前記測定対象部位に前記測定光が照射されることによって当該測定対象部位から放射される放射光のうち、前記測定光の波長以外の波長成分を透過する第２の光学フィルターと、
前記第１の光学フィルターと前記第２の光学フィルターとの間に配置され、前記測定光および前記放射光に対して遮光性を有する平板形状の遮光部材と、
を有するプローブ。
【請求項２】
前記遮光部材の先端面と、前記第１および第２の光学フィルターの先端面とが、プローブ長手方向における位置を揃えて配置されている請求項１に記載のプローブ。
【請求項３】
前記遮光部材の先端面は、前記第１および第２の光学フィルターの先端面から突出するように配置されている請求項１に記載のプローブ。
【請求項４】
前記プローブ内部に配設され、前記第１および第２の光学フィルターの外周部を固定するための筒状の固定枠部材を有する請求項１〜３の何れか１項に記載のプローブ。
【請求項５】
前記遮光部材は、前記固定枠部材内に立設されている請求項４に記載のプローブ。
【請求項６】
前記第１および第２の光学フィルターは、前記固定枠部材に設けられたかしめ部により当該固定枠部材にかしめ固定されている請求項５に記載のプローブ。
【請求項７】
前記固定枠部材の内周部と、前記第１および第２の光学フィルターの外周部とのうち、一方に凸部が形成され、他方に凹部が形成され、
前記凸部と前記凹部とが係合することによって、前記第１および第２の光学フィルターの外周部が当該固定枠部材に固定される請求項５に記載のプローブ。
【請求項８】
前記第１および第２の光学フィルターの後方に配置され、前記第１および第２の光ファイバーを保持する保持部を有し、
前記保持部の先端面のうち前記第１の光ファイバーの出射端面および前記第２の光ファイバーの入射端面と重ならない位置には、前記遮光部材の後端部を挿入して当該保持部に取り付け可能な取り付け溝が形成されている請求項１〜３の何れか１項に記載のプローブ。
【請求項９】
請求項１〜８の何れか１項に記載のプローブに接続可能であり、当該プローブの前記第２の光学フィルターを透過した光に対して分光処理を行う分光測定装置。
【請求項１０】
請求項１〜８の何れか１項に記載のプローブと、該プローブに接続された分光測定装置であって、前記プローブの前記第２の光学フィルターを透過した光に対して分光処理を行う分光測定装置と、を備える診断システム。
【発明の詳細な説明】
【技術分野】
【０００１】
本発明は、体内管腔の測定対象部位を分光法により測定するために用いられるプローブ、および当該プローブに接続可能な分光測定装置に関する。
【背景技術】
【０００２】
体内管腔（以下、単に「管腔」という）の測定対象部位を分光法により測定（分光測定）するときに、長尺のプローブを内視鏡のチャンネルを介して管腔に導入し、このプローブを用いて投光および受光を行うことが、従来知られている。【０００３】
測定対象部位の分光測定では一般に、比較的狭帯域の励起光（以下、「測定光」という）をプローブ経由で測定対象部位に照射し、測定対象部位から、測定光とは異なる波長領域に現れる蛍光またはラマン散乱光（以下、「測定対象光」という）を含む放射光を放出させ、この放射光をプローブで受光する。プローブで受光された光は、当該プローブに接続されている分光測定装置において検出される。検出結果として得られるスペクトルデータは、測定対象部位の病変等の状態判定に利用することができる。【０００４】
通常、測定対象部位からの放射光に含まれる測定対象光（つまり蛍光またはラマン散乱光）の強度は、測定光の強度に比べて著しく低いため、高強度の測定光と低強度の測定対象光とを分離して測定対象光のみを検出することが、求められる。そのために、測定光照射用の光ファイバー（照射用光ファイバー）と測定対象光受光用の光ファイバー（受光用光ファイバー）とを併用するプローブにおいて光学フィルターを設置することがある。例えば、測定光の波長のみを通過させる光学フィルター（照射用光学フィルター）を、照射用光ファイバーの先端近傍に設置し、測定光の波長のみをカットする光学フィルター（受光用光学フィルター）を、受光用光ファイバーの先端近傍に設置する。【０００５】
照射用光ファイバーと受光用光ファイバーとを併用するプローブにおいて上記のように光学フィルターを設置した場合であっても、これらのファイバー間のクロストークが問題となることがある。つまり、照射用光ファイバーから漏れ出た極微弱な光が受光用光ファイバーに入射し、その一部が受光用光ファイバー内を伝導してしまうことがある。この光は、照射用光ファイバー内を伝導する光のうちの極わずかであるが、通常は、検出対象の測定対象光の光信号自体が微小であるため、この光信号と同程度の強度となることがある。【０００６】
このようなクロストークを防ぐための遮光構造としては、例えば特許文献１により提案されたものがある。特許文献１に記載のプローブでは、照射用光ファイバーの周囲に受光用光ファイバーが配置されている。照射用光ファイバーの先端には、ファイバー間の遮光のためのステンレス製パイプが外装されているが、このパイプの一部はファイバー先端から前方に突出しており、そこには照射用光学フィルターが装入されている。そして、受光用光ファイバーの先端に配置された受光用光学フィルターは、ドーナツ型に形成され、パイプの外周を包囲するように配置されている。この構造により、照射側および受光側が互いから完全に分離されるようになっている。
【先行技術文献】
【特許文献】
【０００７】
【特許文献１】特開２００４−２９４１０９号公報
【発明の概要】
【発明が解決しようとする課題】
【０００８】
ところで、光ファイバーのＮ.Ａ.（Numerical Aperture：開口数）は、その素材によるが一般には約０．２〜０．６程度である。つまり、照射用光ファイバーから出射する光（測定光を含む）は発散光であり、受光用光ファイバーに入射する測定対象光は収束光である。【０００９】
よって、特許文献１に記載のプローブにおいては、照射用光ファイバーから出射した測定光は照射用光ファイバーの遠心方向に発散するため、照射用光ファイバーに外装されたパイプの内周面に当たって反射することとなる。出射した測定光のうち、パイプ内周面に当たらずに直進する部分については、測定対象部位に向けて伝播させることは容易である。一方、出射した測定光のうち、パイプ内周面に当たって反射する部分は、前述の直進部分とは異なる方向に伝播することとなるため、測定対象部位から外れた位置に照射されるおそれがある。したがって、測定対象部位に照射される測定光の光強度が不足し、これに伴って測定対象光の光強度も不足するおそれがある。【００１０】
なお、パイプによる反射を低減させるためにパイプを短くしたとすると、これに伴って、光学フィルターに使用するガラス板を薄くする必要が生じる。しかしながら、ガラス板を薄くするとその強度が低下し、光学フィルターの製作が難しくなるという問題がある。【００１１】
また、特許文献１に記載のプローブにおいては、パイプを囲むようにドーナツ型に形成された光学フィルターが用いられているが、ドーナツ型の光学フィルターは製作が困難であり、高価となる。【００１２】
ここで、特許文献１に記載のプローブにおいて、照射用光ファイバーの位置と受光用光ファイバーの位置とを入れ替えたとする。すなわち、ここではパイプが受光用光ファイバーに外装された場合を想定する。この場合、その中心方向に収束する光を受光可能な受光用光ファイバーに入射する光の外周部分は、受光用光ファイバーに外装されたパイプにより遮光され、受光用光ファイバーの入射端面の外周部に十分な光量の光が入射しなくなる（ケラレ現象）。したがって、測定対象光の光強度が不足するおそれがある。【００１３】
このように、照射側と受光側との間の遮光にパイプ状金属部材を用いた構造では、光学フィルターの作製が難しいという問題があり、また、測定光の照射効率および測定対象光の受光効率の向上に一定の限界があった。【００１４】
本発明の目的は、フィルターの製造が容易であり、かつ、測定光の照射効率および測定対象光の受光効率を向上させることが可能なプローブ、分光測定装置および診断システムを提供することである。
【課題を解決するための手段】
【００１５】
本発明に係るプローブは、
第１の光ファイバーの出射端面の前方に配置され、当該第１の光ファイバーから出力された光のうち、体内管腔の測定対象部位に照射するための測定光の波長成分を透過する第１の光学フィルターと、
第２の光ファイバーの入射端面の前方に配置され、前記測定対象部位に前記測定光が照射されることによって当該測定対象部位から放射される放射光のうち、前記測定光の波長以外の波長成分を透過する第２の光学フィルターと、
前記第１の光学フィルターと前記第２の光学フィルターとの間に配置され、前記測定光および前記放射光に対して遮光性を有する平板形状の遮光部材と、
を有する。【００１６】
本発明の分光測定装置は、
上記プローブに接続可能であり、当該プローブの前記第２の光学フィルターを透過した光に対して分光処理を行う。【００１７】
本発明の診断システムは、
上記プローブと、該プローブに接続された分光測定装置であって、前記プローブの前記第２の光学フィルターを透過した光に対して分光処理を行う分光測定装置と、を備える。
【発明の効果】
【００１８】
本発明によれば、フィルターの製造が容易であり、かつ、測定光の照射効率および測定対象光の受光効率を向上させることが可能な光学プローブ、分光測定装置および診断システムを提供することができる。
【図面の簡単な説明】
【００１９】
【図１】本実施の形態における診断システムの構成を示す図である。
【図２】本実施の形態における内視鏡本体の先端部の斜視図である。
【図３Ａ】本実施の形態におけるプローブの内部構成を概略的に示す図である。
【図３Ｂ】本実施の形態におけるプローブの内部構成を概略的に示す図である。
【図４】本実施の形態におけるプローブの内部構成を概略的に示す分解斜視図である。
【図５Ａ】本実施の形態におけるプローブの内部構成の変形例を概略的に示す分解斜視図である。
【図５Ｂ】本実施の形態におけるプローブの内部構成の変形例を概略的に示す分解斜視図である。
【図６】本実施の形態における固定枠部材の断面図である。
【図７】本実施の形態における固定枠部材の変形例の断面図である。
【図８】本実施の形態におけるプローブの内部構成の変形例を概略的に示す分解斜視図である。
【発明を実施するための形態】
【００２０】
以下、本実施の形態を図面に基づいて詳細に説明する。
［診断システム１の構成］
図１に示す診断システム１は、内視鏡２、内視鏡プロセッサー３、ベースユニット４、入力装置５、モニター６，７およびプローブ１０を備える。なお、ベースユニット４は、分光測定装置として機能する。
【００２１】
内視鏡２は、管腔に導入可能に形成された可撓性を有する長尺の内視鏡本体２１と、内視鏡本体２１の基端部（内視鏡基端部）２１ａに設けられた操作部２２と、操作部２２を介して内視鏡本体２１と内視鏡プロセッサー３とを通信可能に接続するケーブル２３とを備える。
【００２２】
内視鏡本体２１は、管腔内部を進入する際に管腔の湾曲に追従して容易に湾曲可能な可撓性を、内視鏡本体２１の略全長にわたって有する。また、内視鏡本体２１は、操作部２２のノブ２２ａの操作に従って内視鏡先端部２１ｂ側の一定範囲（操作可能部２１ｃ）を任意の角度で湾曲させることができる機構（図示せず）を有する。
【００２３】
内視鏡本体２１は、内視鏡先端部２１ｂの斜視図（図２）に示すように、カメラＣＡ、ライトガイドＬＧおよびチャンネルＣＨを有する。ライトガイドＬＧは、内視鏡プロセッサー３の照明光源３１から発光された光（可視光）を内視鏡先端部２１ｂまで導光し、その光を内視鏡先端部２１ｂの端面から出射させる。カメラＣＡは、固体撮像素子を備えた電子カメラであり、ライトガイドＬＧから出射された光により照明された領域を撮像し、その信号（撮像信号）を内視鏡プロセッサー３の画像処理部３２に伝送する。伝送された撮像信号に基づく映像（内視鏡映像）は、モニター６に表示される。チャンネルＣＨは、操作部２２に形成された導入口２２ｂと連通するように内視鏡本体２１に形成された例えば２．６［ｍｍ］径の内腔である。チャンネルＣＨには、病変部の観察、診断および手術等を行うための様々な機器を挿通することができる。本実施の形態では、図１に示すように、管腔内の測定対象部位に測定光（励起光）を照射し、測定対象部位から放射される放射光を取得することによって、癌等の病変部の有無やその種類、病変の進行度などの病変部の状況等を検査することが可能なプローブ本体１１を挿通可能である。
【００２４】
プローブ本体１１は、内視鏡２のチャンネルＣＨに挿通可能な外径（例えば２．４［ｍｍ］）を有し、かつプローブ基端部１１ａからプローブ先端部１１ｂまで延在する長尺の可撓性線状部材であり、チャンネルＣＨへの挿通により管腔に導入される。プローブ本体１１は、プローブ基端部１１ａに設けられたコネクター１１ｃ，１１ｄを介してベースユニット４に接続されている。プローブ本体１１は、照射用光ファイバー１１０（図３を参照）により、ベースユニット４のレーザー４１から発光された測定光を導光し、その測定光を管腔内の測定対象部位への照射光として出射する。レーザー４１は、半導体レーザーまたは固体レーザー等であるが、装置小型化の観点では半導体レーザーの使用が好ましい。また、レーザー光の波長としては、４００〜４１０［ｎｍ］、４８７［ｎｍ］、６３０〜６６０［ｎｍ］、７８０〜７９０［ｎｍ］、８３０〜８６０［ｎｍ］、１２９０〜１３３０［ｎｍ］または１５２０〜１５８０［ｎｍ］の波長が好ましい。なお、測定光の光源はレーザー４１でなくても良く、ＬＥＤ（Light  Emitting  Diode）、電球（例えばキセノンランプやハロゲンランプ）等であっても良い。
【００２５】
また、プローブ本体１１は、測定対象部位に測定光が照射されることによって測定対象部位から放射される放射光に含まれる測定対象光（つまり蛍光またはラマン散乱光）を受光用光ファイバー１２０（図３を参照）により受光し、その測定対象光をベースユニット４の分光器４２へ導光する。分光器４２へ導光された測定対象光は、分光器４２によりスペクトル解析処理（分光処理）を施される。スペクトル解析結果は、コンピューター４３のＣＰＵ（Central  Processing  Unit）４３ａにより画像処理等を施され、グラフ等の形態でモニター７に表示される。ＣＰＵ４３ａにおいて病状等についての判定を行い、その判定結果をメモリー４３ｂに保存すると共にモニター７に表示するようにしても良い。また、コンピューター４３における各種の解析および判定の実行および設定等は、入力装置５（例えば、キーボードまたはマウス等）を操作することによって行うことができる。
【００２６】
図３Ａは、図１に示すプローブ１０の内部構成を概略的に示す図である。図４は、プローブ１０の内部構成を概略的に示す分解斜視図である。
【００２７】
照射用光ファイバー１１０（第１の光ファイバー）および受光用光ファイバー１２０（第２の光ファイバー）は何れも、全長数メートルおよび外径１００〜３００［μｍ］程度の長尺線状部材であり、プローブ本体１１に収納されている。照射用光ファイバー１１０は、プローブ基端部１１ａのコネクター１１ｃによりベースユニット４のレーザー４１と光学的に接続されている。受光用光ファイバー１２０は、プローブ基端部１１ａのコネクター１１ｄによりベースユニット４の分光器４２と光学的に接続されている。
【００２８】
照射用光ファイバー１１０の先端領域（ファイバー先端領域）１１１および受光用光ファイバー１２０の先端領域（ファイバー先端領域）１２１は、光学フィルター１４１，１４２の後方に配置されたフェルール１３０（保持部）により保持されている。これにより、照射用光ファイバー１１０および受光用光ファイバー１２０が束を成し、出射端面（つまり、測定対象部位への測定光の出射面）および入射端面（つまり、測定対象部位からの測定対象光の受光面）が、フェルール１３０に対して正確に位置決めされている。フェルール１３０により保持されるファイバー先端領域１１１，１２１の長さは、５〜１０［ｍｍ］程度である。
【００２９】
フェルール１３０は、例えば金属、石英ガラスまたはジルコニア等の無機材料から成る部材である。フェルール１３０には、照射用光ファイバー１１０および受光用光ファイバー１２０を挿入可能な孔１３０ｃ，１３０ｄが形成されている。照射用光ファイバー１１０および受光用光ファイバー１２０は、この孔１３０ｃ，１３０ｄに挿入されることによって、フェルール１３０に保持される。
【００３０】
フェルール１３０により保持された照射用光ファイバー１１０および受光用光ファイバー１２０は、受光効率の向上およびプローブ１１の細径化の目的で、互いに当接または近接して束を成すように配置されている。
【００３１】
光学フィルター１４１（第１の光学フィルター）は、照射用光ファイバー１１０を含む照射光学系内に位置し、その一端面は、ファイバー先端領域１１１の出射端面の前方に配置されている。光学フィルター１４１は、例えば石英ガラス等の透明基材内に光吸収物質（または光反射物質）を分散させた構成、または透明基板上に誘電体多層膜を形成した構成を有し、測定光の波長成分のみが透過可能となっている。
【００３２】
光学フィルター１４２（第２の光学フィルター）は、受光用光ファイバー１２０を含む受光光学系内に位置し、その一端面は、ファイバー先端領域１２１の入射端面の前方に配置されている。光学フィルター１４２は、例えば石英ガラス等の透明基材内に光吸収物質（または光反射物質）を分散させた構成、または透明基板上に誘電体多層膜を形成した構成を有し、測定光の波長に相当する波長範囲以外の波長成分が透過可能となっている。
【００３３】
本実施の形態では、光学フィルター１４１，１４２を安価に制作する観点から、図４に示すように、光学フィルター１４１，１４２の外周は、円形の一部が直線状に切り取られた、つまり平坦部１４１ａ，１４２ａと円形状部１４１ｂ，１４２ｂとを有するＤカット形状に形成されている。
【００３４】
光学フィルター１４１，１４２前方のプローブ先端部１１ｂには、例えば石英ガラスまたはサファイア等から成るレンズ１５０が配置されている。レンズ１５０は、外部への測定光の照射、外部からの放射光の受光、および光路の気密性および水密性を向上させる目的で装備されている。レンズ１５０は、複数枚のレンズ群であっても良い。
【００３５】
光学フィルター１４１と光学フィルター１４２との間には、金属（例えばステンレス）から成る平板形状の遮光部材１４３が配置されている。より具体的には、遮光部材１４３は、光学フィルター１４１の平坦部１４１ａと光学フィルター１４２の平坦部１４２ａとの間に挟持されるように配置されている。遮光部材１４３は、測定対象部位に照射される測定光、および、測定対象部位から放射される放射光（測定対象光を含む）に対して遮光性を有する。遮光部材１４３の厚さｄは、例えば０．０１〜０．１［ｍｍ］である。光学フィルター１４１，１４２の先端面と、遮光部材１４３の先端面とは、プローブ長手方向における位置が揃うように配置されている。光学フィルター１４１，１４２の先端面と、遮光部材１４３の先端面とを揃えることで、より好ましくは、これらを同一面とすることで、レンズ１５０に対してこれらの部材をより近づけて配置することができるので、プローブ１０のコンパクト化にも寄与する。
【００３６】
レンズ１５０、光学フィルター１４１，１４２、フェルール１３０は、図３Ｂに示すように、金属製のホルダー１５１に収容されている。ホルダー１５１は、内部に同径の貫通孔を備えており、先端側には貫通孔よりも径の小さい開口を形成するフランジ部１５１ａを備えている。また、ホルダー１５１の後端側には外径が小さくされた接続部１５１ｂが設けられている。ホルダー１５１の貫通孔に後端側から、レンズ１５０、間隔調整のための間隔管１５２，１５３、光学フィルター１４１，１４２、フェルール１３０を順に挿入した後、固定部材１５４をホルダー１５１の接続部１５１ｂ内に嵌め込むことで、各部材をホルダー１５１に固定する。そして、ホルダー１５１後端の接続部１５１ｂに、光ファイバー１１０，１２０、及び、固定部材１５４を覆うように、可撓性を有する樹脂製のチューブ部材１５５を被せることによって、ホルダー１５１とチューブ部材１５５を接続する。こうして、プローブ１０が組み立てられている。
【００３７】
［本実施の形態における効果］
以上詳しく説明したように、本実施の形態におけるプローブ１０は、照射用光ファイバー１１０の出射端面の前方に配置され、照射用光ファイバー１１０から出力された光のうち、管腔の測定対象部位に照射するための測定光の波長成分を透過する光学フィルター１４１と、受光用光ファイバー１２０の入射端面の前方に配置され、測定対象部位に測定光が照射されることによって当該測定対象部位から放射される放射光のうち、測定光以外の波長成分を透過する光学フィルター１４２と、光学フィルター１４１と光学フィルター１４２との間に配置され、測定光および放射光に対して遮光性を有する平板形状の遮光部材１４３とを有する。
【００３８】
このように構成した本実施の形態によれば、光学フィルター１４１，１４２の外周部は遮光部材１４３と接触しているごく一部（平坦部１４１ａ，１４２ａ）のみが覆われるだけで、ほぼ全周にわたり外部に向けて露出した状態に保たれる。そのため、照射用光ファイバー１１０の遠心方向に発散する測定光が光学フィルター１４１を通過する際、遮光部材１４３に反射される測定光は最小限に抑えられ、大部分の測定光は測定対象部位に向けて直進することとなる。よって、測定対象部位に十分な光量の測定光が照射され、測定光の照射効率を向上させることができる。また、測定対象部位から放射される放射光に含まれる測定対象光が光学フィルター１４２を通過する際、遮光部材１４３に反射される測定対象光は最小限に抑えられ、大部分の測定対象光は受光用光ファイバー１２０の入射端面に向けて直進することとなる。よって、受光用光ファイバー１２０の入射端面に十分な光量の測定対象光が入射し、測定対象光の受光効率を向上させることができる。また、照射用光ファイバー１１０の出射端面と、受光用光ファイバー１２０の入射端面とを、プローブ長手方向に垂直な方向に並べて配置したので、これに合わせて、光学フィルター１４１，１４２を、円形の一部が直線状に切り取られたＤカット形状とすることができる。このような直線状にカットするだけの比較的単純な形状であれば、上述した先行技術文献に記載されるようなドーナツ形状に比べて、容易に光学フィルターを作製することができる。
【００３９】
［変形例］
なお、上記実施の形態では、遮光部材１４３の先端面と、光学フィルター１４１，１４２の先端面とが、プローブ長手方向における位置が揃うように配置されている例について説明したが、本発明はこれに限定されない。例えば、遮光部材１４３の先端面は、光学フィルター１４１，１４２の先端面から突出するように配置されていても良い。この構成により、光学フィルター１４１を通過した測定光の一部が回折し、光学フィルター１４２に入射して受光用光ファイバー１２０内を伝導してしまうことを防止することができる。ただし、遮光部材１４３に反射される測定光を最小限に抑える観点からは、遮光部材１４３の先端面を光学フィルター１４１，１４２の先端面から突出させ過ぎないようにすることが好ましく、例えば最大０．１［ｍｍ］だけ突出させるように構成するのが好ましい。
【００４０】
また、上記実施の形態において、光学フィルター１４１，１４２をプローブ１０の内部に配設する際、図５Ａに示すように、光学フィルター１４１，１４２の外周部を固定する固定枠部材１６０を使用しても良い。図５Ｂは、固定枠部材１６０の正面図（固定枠部材１６０を背後から見た図）である。固定枠部材１６０は、光学フィルター１４１，１４２の円形状部１４１ｂ，１４２ｂを覆う筒状の外壁部１６０ｂと、フェルール１３０の先端面に対向しそれぞれ開口１６０ｄ，１６０ｅを有するフランジ部１６０ａ，１６０ｃと、を有する。遮光部材１４３は、固定枠部材１６０内の中央付近に立設されている。遮光部材１４３と固定枠部材１６０とは一体的に形成されても良いし、別体的に形成されても良い。固定枠部材１６０のフランジ部１６０ａ，１６０ｃは、光学フィルター１４１，１４２の光路より大きい面積を有している。フランジ部１６０ａと光学フィルター１４１との間、フランジ部１６０ｃと光学フィルター１４２との間に、全波長にわたって光を透過する透過部材を配置しても良い。
【００４１】
また、上記実施の形態において、図６に示すように、光学フィルター１４１，１４２の円形状部１４１ｂ，１４２ｂが固定枠部材１６０に固定された状態において、光学フィルター１４１，１４２は、固定枠部材１６０に設けられたかしめ部１６３，１６４により当該固定枠部材にかしめ固定されても良い。また、上記実施の形態において、図７に示すように、固定枠部材１６０の内周部に光学フィルター１４１，１４２を嵌め込み、固定枠部材１６０の内周部に形成された凸部１６５ａ，１６５ｂ，１６６ａ，１６６ｂと、光学フィルター１４１，１４２の円形状部１４１ｂ，１４２ｂに形成された凹部１４１ｃ，１４１ｄ，１４２ｃ，１４２ｄとをそれぞれ係合させることによって、光学フィルター１４１，１４２の円形状部１４１ｂ，１４２ｂを固定枠部材１６０に固定しても良い。なお、固定枠部材１６０の内周部に形成された凹部と、光学フィルター１４１，１４２の円形状部１４１ｂ，１４２ｂに形成された凸部とを係合させることによって、光学フィルター１４１，１４２の円形状部１４１ｂ，１４２ｂを固定枠部材１６０に固定しても良い。なお、光学フィルター１４１，１４２および固定枠部材１６０の生産性を向上する観点からは、固定枠部材１６０に対するかしめ処理のみで済む図６に示す構成が好ましい。光学フィルター１４１，１４２に対して、追加の加工（凹部１４１ｃ，１４１ｄ，１４２ｃ，１４２ｄ）が不要であり、製造が容易になるからである。
【００４２】
また、上記実施の形態において、図８に示すように、フェルール１３０の先端面のうち照射用光ファイバー１１０の出射端面および受光用光ファイバー１２０の入射端面と重ならない位置に、遮光部材１４３の後端部１４３ａを挿入してフェルール１３０に取り付け可能な取り付け溝１４８が形成されていても良い。この構成により、照射用光ファイバー１１０の出射端面および受光用光ファイバー１２０の入射端面の前に遮光部材１４３の後端部１４３ａが位置することがないように、フェルール１３０の先端面に対して遮光部材１４３を確実に位置決めすることができる。
【００４３】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００４４】
２０１３年１月２１日出願の特願２０１３−００８３９７の日本出願に含まれる明細書、図面および要約書の開示内容は、全て本願に援用される。
【符号の説明】
【００４５】
１  診断システム
２  内視鏡
３  内視鏡プロセッサー
４  ベースユニット
５  入力装置
６，７  モニター
１０  プローブ
１１  プローブ本体
１１ａ  プローブ基端部
１１ｂ  プローブ先端部
１１ｃ，１１ｄ  コネクター
１１０  照射用光ファイバー
１１１，１２１  ファイバー先端領域
１２０  受光用光ファイバー
１３０  フェルール
１３０ｃ，１３０ｄ  孔
１４１，１４２  光学フィルター
１４１ａ，１４２ａ  平坦部
１４１ｂ，１４２ｂ  円形状部
１４１ｃ，１４１ｄ，１４２ｃ，１４２ｄ  凹部
１４３  遮光部材
１４３ａ  後端部
１４８  取り付け溝
１５０  レンズ
１５１  ホルダー
１５１ａ  フランジ部
１５１ｂ  接続部
１５２，１５３  間隔管
１５４  固定部材
１５５  チューブ部材
１６０  固定枠部材
１６０ａ，１６０ｃ  フランジ部
１６０ｂ  外壁部
１６３，１６４  かしめ部
１６５ａ，１６５ｂ，１６６ａ，１６６ｂ  凸部
【図１】
2014111990.tif 000003
【図２】
2014111990.tif 000004
【図３Ａ】
2014111990.tif 000005
【図３Ｂ】
2014111990.tif 000006
【図４】
2014111990.tif 000007
【図５Ａ】
2014111990.tif 000008
【図５Ｂ】
2014111990.tif 000009
【図６】
2014111990.tif 000010
【図７】
2014111990.tif 000011
【図８】
2014111990.tif 000012
【国際調査報告】
2014111990.tif 000013
2014111990.tif 000014
2014111990.tif 000015
2014111990.tif 000016